(57)【要約】      （修正有）【課題】保冷材等を詰め込んで当該紙箱内の温度上昇を防ぐことが出来る備品収納部付紙箱を提供する。【解決手段】直方体形状又は立法体形状の紙箱の内側底面に、複数の舌片を折り下げて成る支持脚によって自身を支持する上げ底式の仕切り板Ｃを嵌め入れた紙箱において、前記仕切り板Ｃの前記支持脚によって形成される上げ底式の仕切り板の下方の空間に備品収納部を設けた。【選択図】図１
0003163302.tif 000002
【実用新案登録請求の範囲】
【請求項１】
直方体形状又は立法体形状の紙箱の内側底面に、複数の舌片を折り下げて成る支持脚によって自身を支持する上げ底式の仕切り板を嵌め入れた紙箱において、
前記仕切り板の前記支持脚によって形成される上げ底式の仕切り板の下方の空間に備品収納部を設けたことを特徴とする、上げ底式の仕切り板を用いた備品収納部付紙箱。
【請求項２】
前記紙箱の一側面の下部に一定幅の略山型の切り込みを設け、当該切り込みによって囲まれた部分を開閉扉とし、当該開閉扉を開いて前記備品収納部に備品を出し入れする構成としたことを特徴とする、前記請求項１に記載の上げ底式の仕切り板を用いた備品収納部付紙箱。
【請求項３】
前記紙箱の一側板の上端縁から当該紙箱の上端縁を被う天板を折り目を介して設け、当該天板の外端縁に折り目を介して前記紙箱の他側板をほぼ被う折り込み板を設け、当該折り込み板の外端縁に折り込み舌片を設け、
前記開閉扉の開閉基部に切り込みを設け、前記天板及び折り込み板を夫々折り込んで前記折り込み舌片を前記切り込みに差し入れて係止自在としたことを特徴とする、前記請求項２に記載の上げ底式の仕切り板を用いた備品収納部付紙箱。
【請求項４】
前記備品収納部に入れる備品を保冷材としたことを特徴とする、前記請求項１、２又は３の何れかに記載の上げ底式の仕切り板を用いた備品収納部付紙箱。
【考案の詳細な説明】
【技術分野】
【０００１】
この考案は、和洋菓子店等において、菓子を持ち運ぶ際に使用されている上げ底式の仕切り板を用いた備品収納部を有する紙箱に関するものである。
【背景技術】
【０００２】
従来、和洋菓子店においては、菓子を顧客に販売する際に、組立て紙箱が使用されている。この様な組立て紙箱の中に、当該組立て紙箱の内側底部に仕切り板を嵌め入れたものがある。組立て紙箱はこの様な仕切り板の上に、例えば、個別包装された菓子を載置し、菓子がいたずらに移動するのを防ぎ、また、組立て紙箱が外部から衝撃を受けた際、その衝撃を和らげる働きが有る。
【特許文献１】実用新案登録第３１５７８８２号公報
【考案の開示】
【考案が解決しようとする課題】
【０００３】
しかしながら、この様な仕切り板上には、前述の様にもっぱら個別包装された菓子を詰めることが多いが、菓子によっては、高温になる夏季などの場合、箱体内の温度上昇を保冷材等で防ぐことが求められることが有る。
【０００４】
この考案は、この様な状況に鑑みて行われたもので、支持却を有する上げ底式の仕切り板を嵌め込んだ紙箱において、当該仕切り板の支持脚によって形成される空間に保冷材等を詰め込んで当該紙箱内の温度上昇を防ぐことが出来る、上げ底式の仕切り板を用いた備品収納部付紙箱を提供して前記課題を解決するものである。
【課題を解決するための手段】
【０００５】
請求項１の考案は、直方体形状又は立法体形状の紙箱の内側底面に、複数の舌片を折り下げて成る支持脚によって自身を支持する上げ底式の仕切り板を嵌め入れた紙箱において、前記仕切り板の前記支持脚によって形成される上げ底式の仕切り板の下方の空間に備品収納部を設けた、上げ底式の仕切り板を用いた備品収納部付紙箱とした。
【０００６】
請求項２の考案は、前記紙箱の一側面の下部に一定幅の略山型の切り込みを設け、当該切り込みによって囲まれた部分を開閉扉とし、当該開閉扉を開いて前記備品収納部に備品を出し入れする構成とした、前記請求項１に記載の上げ底式の仕切り板を用いた備品収納部付紙箱とした。
【０００７】
請求項３の考案は、前記紙箱の一側板の上端縁から当該紙箱の上端縁を被う天板を折り目を介して設け、当該天板の外端縁に折り目を介して前記紙箱の他側板をほぼ被う折り込み板を設け、当該折り込み板の外端縁に折り込み舌片を設け、前記開閉扉の開閉基部に切り込みを設け、前記天板及び折り込み板を夫々折り込んで前記折り込み舌片を前記切り込みに差し入れて係止自在とした、前記請求項２に記載の上げ底式の仕切り板を用いた備品収納部付紙箱とした。
【０００８】
請求項４の考案は、前記備品収納部に入れる備品を保冷材とした、前記請求項１、２又は３の何れかに記載の上げ底式の仕切り板を用いた備品収納部付紙箱とした。
【考案の効果】
【０００９】
請求項１の考案によれば、前記上げ底式の仕切り板の支持脚によって形成される当該仕切り板の下方の空間に備品を入れる収納部を設けたので、狭い紙箱内の空間を有効に使用することが出来るものである。
【００１０】
請求項２の考案によれば、前記紙箱の一側面の下部に一定幅の略山型の切り込みを設け、当該切り込みによって形成された開閉扉を開いて前記仕切り板の下方の空間に備品を入れるようにしたので、菓子等の商品を仕切り板に載置した後でも、前記空間内に簡単に備品を入れることが出来、便利である。
【００１１】
請求項３の発明によれば、前記開閉扉を開けて備品を入れた後、天板及び折り込み板を折り込んで当該折り込み板の折り込み舌片を前記切り込みに差し入れて係止するようにしたので、備品が外に出ると言うことが起こり難く、より安心して、この紙箱を使用することが出来る。
【００１２】
請求項４の発明によれば、前記備品収納部に入れる備品を保冷材としたので、この保冷材を前記紙箱の下部に設けた備品収納部内に入れた後は、当該箱内の温度上昇を確実に抑えることが出来、安心して菓子を入れて持ち歩くことが出来る。
【考案を実施するための最良の形態】
【００１３】
直方体形状又は立法体形状の紙箱の内側底面に、複数の舌片を折り下げて成る支持脚によって自身を支持する上げ底式の仕切り板を嵌め入れた紙箱において、前記仕切り板の前記支持脚によって形成される上げ底式の仕切り板の下方の空間に備品収納部を設けた。
【００１４】
これにより、上げ底式の仕切り板の支持脚によって形成される当該仕切り板の下方の空間に備品を入れる収納部を設けたので、狭い紙箱内の空間を有効に使用することが出来るものである。
【実施例１】
【００１５】
以下、この考案の実施例１を図に基づいて説明する。
図１は、この考案の実施例１の組立て紙箱の前側板の開閉扉を開けて、保冷材を入れている状態を示す斜視図である。図２は、この考案の実施例１の組立て紙箱の紙箱本体の展開図である。図３は、この考案の実施例１の組立て紙箱の天板等を開けた状態の正面図である。図４は、この考案の実施例１の組立て紙箱の上げ底式の仕切り板の展開図である。図５は、この考案の実施例１の組立て紙箱に保冷材を入れた状態を示す一部断面図である。
【００１６】
この実施例１の組立て紙箱Ａは、紙箱本体Ｂと上げ底式の仕切り板Ｃから成る。この紙板本体Ｂは、図２に示すように、天板１の上端縁に折り目アを介して、後述する側板と略同形同大の折り込み板２を設け、この折り込み板２の上端縁の中央に折り目イを介して折り込み舌片３を設ける。前記天板１の下端縁に折り目ウを介して後側板４を設け、この後側板４の右端縁に折り目エを介して貼着舌片５を設け、また、前記後側板４の下端縁に折り目オを介して折り込み底板６を設け、この折り込み底板６の外端縁の中央の一定長は横長略長方形状に切り欠いている。さらに、この後側板４の左端縁に折り目カを介して左側板７を設けている。
【００１７】
この左側板７の上端縁に２重の折り目キを介して左内側板８を設け、この左内側板８の上端縁に折り目クを介して折り込み舌片９を設け、この折り込み舌片９の上端の一隅を切り欠いており、また、この折り目クの略中央から左内側板８上に略Ｕ字型の切り込み９ａを設けている。なお、この切り込み９ａ内には前記折り目クは設けられていない。前記左側板７の下端縁に折り目ケを介して逆さＲ型の折り込み底片１０を設けている。
【００１８】
前記左側板７の左端縁に折り目コを介して前側板１１を設け、この前側板１１の上端縁に２重の折り目サを介して前内側板１２を設け、この前内側板１２の上端縁の左右に折り目シを介して折り込み片１３を夫々設けており、これらの左右の折り込み片１３の間は、後述する開閉扉１１ｅの上部のカーブと相応する様に緩やかなカーブで凹型に切り欠かれている。また、前記各折り込み舌片１３の上端の一隅を夫々切り欠いており、また、これらの各折り目シの内側の一部は鍵型の切り込み１３ａとなっている。なお、この鍵型の切り込み１３ａ内には前記折り目シは設けられていない。
【００１９】
前記前側板１１の下端縁に折り目スを介して略逆さ台形状の折り込み底板１４を設けており、また、図３にも示す様に、この折り目スの中央から前側板１１上に一定幅の山型の切り込み１１ａを設け、この折り目スの中央は直線状の切り込み１１ｂとなっている。これらの切り込み１１ａ及び切り込み１１ｂの中央から前側板１１及び折り込み底板１４に夫々向けて、半円形状の切り欠き１１ｃ、１１ｄを設けて指掛け部を夫々設けている、
【００２０】
前記前側板１１の左端縁に折り目セを介して右側板１５を設け、この右側板１５の上端縁に２重の折り目ソを介して右内側板１６を設け、この右内側板１６の上端縁に折り目タを介して折り込み舌片１７を設け、この折り込み舌片１７の上端の一隅を切り欠いており、また、この折り目タの略中央から右内側板１６上に略Ｕ字型の切り込み１７ａを設けている。なお、この切り込み１７ａ内には前記折り目タは設けられていない。また、前記右側板１６の下端縁に折り目チを介して、前記逆さＲ型の折り込み底片１０とは逆向きの逆さＲ型の折り込み底片１８を設けている。
【００２１】
上げ底式の仕切り板Ｃは、図４に示す様に、略縦長長方形状の紙製板体の長手方向両側の外端縁に沿って折り目ナを夫々設け、これらの各折り目ナに挟まれた個所を菓子を載置する場所とし、これらの場所の上端及び下端は、延長されて横長の長方形状からなる短片１９ａ、１９ｂを前記紙製板体の上下端縁から夫々突出させている。また、前記菓子を載置する場所に、前記各折り目ナから夫々相対向して略Ｕ字型の切り込み２０ａを４つ間隔をあけて設けている。なお、これらの切り込み２０ａ内には前記折り目ナは設けられていない。さらに、これらの菓子を載置する場所に、上下方向に略山型の切り込み２１ａを間隔をあけて４つ設けている。
【００２２】
前記各折り目ナは、上端縁から、前記切り込み２１ａの中の一番上に位置する切り込み２１ａに続いた切り込み２２とし、当該各切り込み２２によって形成される短片１９ａ上に、当該短片１９ａの両側縁を結ぶ折り目ツを設けている。また、下側の短片１９ｂは紙製板体の下端縁の位置に設けた折り目テを介して夫々突出しており、この折り目テから略Ｕ字型の切り込み１９ｃを設けている。
【００２３】
次に、この様な紙箱本体Ｂ及び仕切り板Ｃを組み立てて、組立て紙箱Ａを形成する。まず、展開された状態の紙箱本体Ｂを、各折り目により、折り込み又は折り上げ、貼着舌片５に接着剤を塗布し、右内側板１７の内側に張り付けて筒状に設ける。その後、折り込み底板６、１４、折り込み底片１０、１８を夫々組み合わせて折り込んで、紙箱本体Ｂの底板を形成する。この底板に対して、折り目サ、キ、ソを介して前内側板１２、左右内側板８、１６を夫々山折りに折り込む。その際、折り目ク、シ、タを夫々谷折りに折り折り込むことによって折り込み舌片９、折り込み片１３及び折り込み片１７を底板上に重ね合わせる。
【００２４】
これにより、前記切り込み９ａ、１３ａ及び１７ａによって形成された舌片９ｂ、１３ｂ及び１７ｂは左側板７、前内側板１２、右側板１５の内側面に夫々当接する。そして、前記底板上で前記折り込み舌片９、折り込み片１３及び折り込み舌片１７の各隅部を突き合わせ、夫々の切り欠きを噛み合わせて係止する。この様にして、紙箱本体Ｂを形成する。
【００２５】
上げ底式の仕切り板Ｃは、両側の折り目ナによって、両側端を上方に折り上げて、切り込み２０ａによって形成される支持脚２０ｂを下方に突出させて形成し、また、折り目ツによって短片１９ａを下方に折り曲げて短片１９ａを支持脚とし、また、折り目テによって短片１９ｂを上方に折り上げて切り欠き１９ｃによって形成される支持脚１９ｄを夫々形成する。さらに、折り目トによって切り欠き２１ａを折り上げて、菓子を係止する係止板２１を斜めに形成する。
【００２６】
この仕切り板Ｃを、図１及び図５に示す様に、前記紙箱本体Ｂの内側の底板上に嵌め入れ、前記短片１９ａ、各支持脚１９ｄ、２０でこの仕切り板Ｃを支持する。そして、この紙箱本体Ｂの底板と、仕切り板Ｃとの間の空間を備品収納部とする。この様にして、組立て紙箱Ａは形成される。
【００２７】
この後、図３に示す様に、前側板１１の下部の折り目スから前側板１１上に設けた切り込み１１ａによって形成される開閉扉１１ｅを開いて、図１及び図５（当該図５では天板の記載を省略）に示す様に、上げ底式の仕切り板Ｃの支持脚１９、２０によって形成された当該仕切り板Ｃの下方の備品収納部に保冷材Ｄを入れる。その後、天板１を折り目ウにより折り込み、さらに、折り込み板２を折り目アにより折り込み、折り込み舌片３を折り目イにより折り込んで切り込み１１ｂに差し入れて係止する。この様にして内側に保冷材Ｄを入れた組立て紙箱Ａが出来上がる。
【００２８】
前記実施例１では、組立て紙箱Ａとして、紙箱本体Ｂ及び上げ底式の仕切り板Ｃを具体的に記載しているが、紙箱本体及び上げ底式の仕切り板は、これらのものに限るものではなく、また、組立て紙箱に限るものではなく、この発明の備品収納部を設けられるものであれば、もちろん他の紙箱及び上げ底式の仕切り板で良い。また、仕切り板Ｃの前記短片１９ａ、各支持脚１９ｄ、２０によって形成される下方の空間を備品収納部として保冷材Ｄを入れているが、この備品収納部に入れるのは保冷材に限らず、他の備品、例えば、紙ナプキンやお手拭き、さらに、プラスティック製の小さなフォークやナイフ類なども入れることが出来る。
【００２９】
また、前記実施例１では、折り目スの中央から前側板１１上に一定幅の山型の切り込み１１ａを設け、この切り込み１１ａによって、保冷材Ｄを入れる開閉扉１１ｅを設けているが、これらの切り込み１１ａ及び開閉扉１１ｅは無くても良い。この場合、上げ底式の仕切り板Ｃを紙箱本体Ｂの内側底部に嵌め入れる前に、当該底部に保冷材Ｄ等を入れるようにすれば良い。
【００３０】
また、折り込み板２や折り込み舌片３を設けているが、これらは無くても良い。この場合、開閉扉１１ｅは、保冷材Ｄを入れた後は自身が持つ弾性によって自然に閉じられて、中から保冷材Ｄ等の備品が出てくると言うことは無い。
【図面の簡単な説明】
【００３１】
【図１】この考案の実施例１の組立て紙箱の前側板の開閉扉を開けて、保冷材を入れている状態を示す斜視図である。
【図２】この考案の実施例１の組立て紙箱の紙箱本体の展開図である。
【図３】この考案の実施例１の組立て紙箱の天板等を開けた状態の正面図である。
【図４】この考案の実施例１の組立て紙箱の上げ底式の仕切り板の展開図である。
【図５】この考案の実施例１の組立て紙箱に保冷材を入れた状態を示す一部断面図である。
【符号の説明】
【００３２】
Ａ    組立て紙箱          Ｂ    紙箱本体          Ｃ    仕切り板
Ｄ    保冷材
１    天板                ２    折り込み板        ３    折り込み舌片
４    後側板              ５    貼着舌片          ６    折り込み底板
７    左側板              ８    左内側板          ９    折り込み舌片
１０    折り込み底片      １１    前側板          １１ａ  切り込み
１１ｂ  切り込み          １１ｅ  開閉扉          １２    前内側板
１３    折り込み片        １４    折り込み底板    １５    右側板
１６    右内側板          １７    折り込み舌片    １８    折り込み底片
１９ａ  短片            １９ｄ    支持脚          ２０    支持脚
２１    係止板
【図１】
0003163302.tif 000003
【図２】
0003163302.tif 000004
【図３】
0003163302.tif 000005
【図４】
0003163302.tif 000006
【図５】
0003163302.tif 000007